(57)【要約】【課題】空調負荷が増大するのを抑制しつつ、調理者の快適性の向上を図る換気システムを提供する。【解決手段】換気システム１は、調理機器１０の周囲の給排気を行う。換気システム１は、排気フード２１と、一対の側方吹出口３１，３２と、空調吹出口４１と、を備える。排気フード２１は、調理機器１０の上方に位置し、空気を上方に吸い上げる。一対の側方吹出口３１，３２は、排気フード２１の両側方に位置し、空気を下方に吹き出す。空調吹出口４１は、排気フード２１の前方に位置し、空調空気を下方に吹き出す。【選択図】図１
2014129969.tif 000002
【特許請求の範囲】
【請求項１】
調理機器（１０）の周囲の給排気を行う換気システムであって、
前記調理機器（１０）の上方に位置し、空気を上方に吸い上げる排気フード（２１）と、
前記排気フード（２１）の両側方に位置し、空気を下方に吹き出す一対の側方吹出口（３１，３２）と、
前記排気フード（２１）の前方に位置し、空調空気を下方に吹き出す空調吹出口（４１）と、を備える換気システム。
【請求項２】
平面視で前記調理機器（１０）よりも後方に位置する後方吹出口（３３）をさらに備える、請求項１に記載の換気システム。
【請求項３】
前記後方吹出口（３３）は、前記排気フード（２１）の後方に位置し、空気を下方に吹き出す、請求項２に記載の換気システム。
【請求項４】
前記調理機器（１０）が設けられた厨房室（２）の隣に、前記厨房室（２）と連通している別室（３）が存在し、
前記厨房室（２）には、空調機構（４０）の空調吸込口（４２）が設けられている、請求項１〜３の何れか１項に記載の換気システム。
【発明の詳細な説明】
【技術分野】
【０００１】
本発明は、調理機器の周囲の給排気を行う換気システムに関する。
【背景技術】
【０００２】
従来、厨房室（調理室）の給排気を行う換気システムが知られている。厨房室には、ガスコンロ、フライヤーなどの調理機器が設けられている。これらの調理機器は使用時に発熱する発熱部を有するので、換気システムには、調理機器を使用する調理者の温熱環境を改善することが求められる。また、厨房室では、空気調和装置によって冷房、暖房などの空調が行われるが、調理機器の発熱部から生じる熱は、空気調和装置の空調負荷が増大する原因となる。したがって、換気システムには、空調の省エネルギー化を図ることも求められる。
【０００３】
省エネルギー対策としては、例えば調理機器の上方に設ける排気フードとして二重フードを用いることが考えられる。二重フードは、空気を上方に吸い上げる排気口と、その周りを囲むように設けられ、空気を下方に吹き出す吹出口とが一体化された構造を備える。二重フードでは、調理機器の発熱部における熱によって高温になった空気が排気口を通過するので、その周囲に設けられた吹出口を構成する部材の温度が上昇する。したがって、排気口の前方の吹出口から調理者に向かって吹き出される空気の温度は、温度上昇した前記部材の熱によって高められている。このため、二重フードが採用された厨房室では、調理者の快適性に問題がある。
【０００４】
特許文献１には、調理者に不快感を与えることなく、燃焼ガス等が厨房室内へ拡散するのを効果的に抑制することを目的とした換気システムが提案されている。この換気システムは、調理機器の後方に位置して空気を上方に吹き出す後方吹出口と、調理機器の両側方に位置して調理機器の前方斜め上方に空気を吹き出す一対の側方吹出口とを備える。
【先行技術文献】
【特許文献】
【０００５】
【特許文献１】特開２００７−６４５２４号公報
【発明の概要】
【発明が解決しようとする課題】
【０００６】
特許文献１の換気システムでは、調理機器の側方及び前方をほぼ覆う空気の流れ（エアカーテン）が形成されることにより、調理機器の発熱部の熱によって高温となった空気が厨房室内へ拡散するのが抑制されるので、空調負荷が増大するのを抑制できる。しかしながら、調理機器の前方において調理者が調理作業をする空間は調理機器の発熱部に近いので、そこで作業をする調理者は高温の空気に晒され、したがって、調理者の快適性には依然として改善の余地がある。
【０００７】
本発明の目的は、空調負荷が増大するのを抑制しつつ、調理者の快適性の向上を図る換気システムを提供することである。
【課題を解決するための手段】
【０００８】
［１］  本発明の換気システムは、調理機器（１０）の周囲の給排気を行う。前記換気システムは、排気フード（２１）と、一対の側方吹出口（３１，３２）と、空調吹出口（４１）とを備える。前記排気フード（２１）は、前記調理機器（１０）の上方に位置し、空気を上方に吸い上げる。前記一対の側方吹出口（３１，３２）は、前記排気フード（２１）の両側方に位置し、空気を下方に吹き出す。前記空調吹出口（４１）は、前記排気フード（２１）の前方に位置し、空調空気を下方に吹き出す。
【０００９】
この構成では、排気フード（２１）の前方において下方に吹き出される空調空気と、排気フード（２１）の両側方において下方に吹き出される空気とによって調理機器（１０）の前方と側方とを覆うような空気の流れ（エアカーテン）が形成されるので、調理機器（１０）の発熱部において生じる熱がエアカーテンの外側に拡散しにくくなる。これにより、厨房室（２）における空気調和装置の空調負荷が増加するのを抑制できるので、省エネルギー化を図ることができる。
【００１０】
しかも、この構成では、排気フード（２１）の前方に設けられた空調吹出口（４１）から空調空気（冷気）を下方に吹き出すことができるので、調理機器（１０）の前方で作業する調理者の快適性を向上させることができる。
【００１１】
また、一対の側方吹出口（３１，３２）は、特許文献１のように調理機器（１０）の両側方ではなく、排気フード（２１）の両側方に設けられているので、特許文献１のように給気ダクトを天井から調理機器（１０）の横まで延ばす必要がない。したがって、ダクトの配設が煩雑になるのを抑制できる。
【００１２】
［２］  前記換気システムにおいて、平面視で前記調理機器（１０）よりも後方に位置する後方吹出口（３３）をさらに備えているのが好ましい。
【００１３】
この構成では、後方吹出口（３３）が設けられているので、一対の側方吹出口（３１，３２）から吹き出される空気の風量を調整することができる許容範囲を広げることができる。具体的に、例えば一対の側方吹出口（３１，３２）から吹き出される風量が多くなりすぎると、一対の側方吹出口（３１，３２）から吹き出される空気が調理者側（前方）に流れやすくなるが、上記のように風量を調整する許容範囲が広がれば、一対の側方吹出口（３１，３２）から吹き出される風量を適度に小さくすることが容易にでき、これにより、一対の側方吹出口（３１，３２）から吹き出される空気が調理者側（前方）に流れるのを抑制できる。より具体的に説明すると、次のようになる。
【００１４】
すなわち、一対の側方吹出口（３１，３２）から下方に吹き出された空気は、下方に向かいつつ、排気フード（２１）によって形成される上方への空気の流れの影響を受けて互いに近づく方向に向きを変え、さらに、調理機器（１０）の発熱部の熱を含む空気とともに上方に向かい、排気フード（２１）から排気される。ところで、一対の側方吹出口（３１，３２）から吹き出される空気の風量が大きくなると、互いの空気が近づく方向に向きを変えて衝突した後、その一部が前方（調理者側）に流れやすくなる。
【００１５】
換気システムにおいては、排気フード（２１）、空調吸込口（４２）などのように厨房室（２）内の空気を厨房室（２）外に出す空気の排出量と、一対の側方吹出口（３１，３２）、空調吹出口（４１）などから厨房室（２）内に供給される空気の供給量とは、全体としてほぼつりあっている。したがって、調理機器（１０）の後方にも後方吹出口（３３）をさらに設けることによって、一対の側方吹出口（３１，３２）から吹き出される空気の風量が小さくなるように調整することができる許容範囲を広げることができる。これにより、前方（調理者側）に流れる空気の量を低減することができるので、調理者の快適性及び省エネルギー化をさらに高めることができる。
【００１６】
［３］  前記換気システムにおいて、前記後方吹出口（３３）は、前記排気フード（２１）の後方に位置し、空気を下方に吹き出す形態であるのが好ましい。
【００１７】
この構成では、後方吹出口（３３）が排気フード（２１）の後方に設けられているので、後方吹出口（３３）に接続する給気ダクトを天井から調理機器（１０）まで下方に延ばす必要がない。これにより、ダクトの配設が煩雑になるのを抑制できる。
【００１８】
また、この構成では、後方吹出口（３３）、一対の側方吹出口（３１，３２）及び空調吹出口（４１）が排気フード（２１）の周りを囲むように設けられ、しかも、これらの吹出口のそれぞれから空気が下方に吹き出されるので、調理機器（１０）の前方、側方及び後方を覆うような比較的安定した空気の流れ（エアカーテン）が形成される。これにより、調理機器（１０）の発熱部において生じる熱がエアカーテンの外側に拡散しにくくなる。
【００１９】
［４］  前記換気システムにおいて、前記調理機器（１０）が設けられた厨房室（２）の隣に、前記厨房室（２）と連通している別室（３）が存在し、前記厨房室（２）には、空調機構（４０）の空調吸込口（４２）が設けられているのが好ましい。
【００２０】
この構成において、前記別室（３）としては、例えば客が食事をする客室などが例示できる。この構成では、厨房室（２）に空調吸込口（４２）が設けられているので、別室（３）から厨房室（２）へ空気の流れを形成することができ、その結果、調理機器（１０）が設けられた厨房室（２）における比較的温度の高い空気が別室（３）に流れ込むのを抑制できる。これにより、別室（３）の快適性が損なわれるのを抑制できる。
【発明の効果】
【００２１】
本発明によれば、空調負荷が増大するのを抑制しつつ、調理者の快適性の向上を図る換気システムを提供することができる。
【図面の簡単な説明】
【００２２】
【図１】本発明の第１実施形態に係る換気システムを示す斜視図である。
【図２】（Ａ）は、第１実施形態に係る換気システムの概略を示す正面図であり、（Ｂ）は、その側面図である。
【図３】第１実施形態に係る換気システムが設けられた厨房室と、その隣の別室とを示す図であって、図２（Ａ）のIII-III線における断面図である。
【図４】本発明の第２実施形態に係る換気システムを示す斜視図である。
【図５】（Ａ）は、第２実施形態に係る換気システムの概略を示す正面図であり、（Ｂ）は、その側面図である。
【図６】本発明の第３実施形態に係る換気システムを示す斜視図である。
【図７】（Ａ）は、第３実施形態に係る換気システムの概略を示す正面図であり、（Ｂ）は、その側面図である。
【図８】本発明の第４実施形態に係る換気システムを示す斜視図である。
【図９】（Ａ）は、第４実施形態に係る換気システムの概略を示す正面図であり、（Ｂ）は、その側面図である。
【図１０】（Ａ）は、第５実施形態に係る換気システムの概略を示す正面図であり、（Ｂ）は、その側面図である。
【発明を実施するための形態】
【００２３】
以下、本発明の実施形態に係る換気システム１について図面を参照して説明する。各実施形態における換気システム１は、調理機器１０の周囲の給排気を行う。以下、複数の実施形態について説明するが、本発明は、これらの実施形態に限定されるものではない。
【００２４】
［第１実施形態］
図１は、本発明の第１実施形態に係る換気システム１を示す斜視図である。図２（Ａ）は、第１実施形態に係る換気システム１の概略を示す正面図であり、図２（Ｂ）は、その側面図である。図３は、図２（Ａ）のIII-III線における断面図であり、換気システム１が設けられた厨房室２と、その隣の別室３とを示している。厨房室２としては、例えばレストランやホテルの厨房室などが例示でき、別室３としては、例えば客が食事をする客室などが例示できるが、これらに限られない。
【００２５】
図１〜図３に示すように、換気システム１は、排気機構２０と、給気機構３０と、空調機構４０（空気調和装置４０）とを備える。排気機構２０は、例えば厨房室２の調理機器１０の使用時に発生する二酸化炭素、水蒸気、臭気物質、熱などの換気対象物を含んだ空気を室外へ排出するために設けられている。給気機構３０は、厨房室２の外（例えば屋外）から厨房室２へ空気を供給するために設けられている。空調機構４０は、厨房室２を含む建物内の冷房、暖房、除湿などの空調を行うために設けられている。
【００２６】
なお、以下の説明において、前方Ｆ、後方Ｂ、右方Ｒ、左方Ｌ、上方Ｕ及び下方Ｄは、図１に矢印で示す方向とする（他の図においても同様）。ここで言う「左」「右」は、調理機器１０の前方から見た方向を示す。また、図１においては、天井６の図示を省略している。図３では、排気機構２０、給気機構３０、空調機構４０などの位置を二点鎖線で示している。
【００２７】
図２（Ｂ）に示すように、厨房室２は、第１空間（換気空間）５１と、第２空間５２とに概ね分かれる。第１空間５１は、調理機器１０が設けられている空間及びその近傍の空間であって、調理に伴って生じる前記換気対象物を含む空気の排出と、調理機器１０の周辺への空気の供給とが行われる換気空間である。換気空間５１は、前後方向において、調理機器１０が設けられている領域と、調理機器１０の前方Ｆにおいて調理者が調理作業をすることができる作業領域とを含む。
【００２８】
第２空間５２は、調理機器１０を用いた調理作業以外の作業が行われる空間や、棚、作業台などが配置される空間などを含む。本実施形態では、調理機器１０は、厨房室２の壁２Ｂ側に配置されているので、換気空間５１は、厨房室２の壁２Ｂ側に位置している。
【００２９】
本実施形態では、図２（Ｂ）及び図３に示すように、調理機器１０は、厨房室２の側壁に沿って配置されている。具体的に、調理機器１０は、その機器本体１１の背面が厨房室２の側壁（例えば壁２Ｂ）に近接している又は接している状態で、厨房室２の側壁に沿って配置されている。ただし、調理機器１０の位置は、これに限られない。調理機器１０は、例えば厨房室２の中央付近に設けられていてもよい。
【００３０】
図１〜図３に示すように、第１実施形態の換気システム１は、排気フード２１と、一対の側方吹出口３１，３２と、空調吹出口４１とを備える。排気フード２１は、調理機器１０の上方に位置し、調理機器１０の近傍の空気を上方に吸い上げるために設けられている。一対の側方吹出口３１，３２（右方吹出口３１，左方吹出口３２）は、排気フード２１の両側方に位置し、空気を下方に吹き出すために設けられている。空調吹出口４１は、排気フード２１の前方に位置し、空調空気を下方に吹き出すために設けられている。排気フード２１は排気機構２０に含まれる。一対の側方吹出口３１，３２は給気機構３０に含まれる。空調吹出口４１は空調機構４０に含まれる。
【００３１】
本実施形態では、排気機構２０は、上述した排気フード２１と、排気フード２１に接続された排気ダクト２２と、排気ファン２３とを含む。排気ファン２３は、調理機器１０の近傍の空気（換気空間５１の空気）を上方に吸い上げる気流の流れをつくる。排気ダクト２２は、排気フード２１の上部や側部に接続されており、排気フード２１に吸い込まれた空気を厨房室２の外（例えば屋外）に案内する。排気ダクト２２は、厨房室２と室外とをつなぐ空気流路を構成している。本実施形態では、排気ダクト２２は、天井６の上方の空間（天井裏）に設けられているが、これに限られず、例えば天井６の下面に沿って配設されていてもよい。
【００３２】
排気フード２１は、調理機器１０の上方に配置されている。この排気フード２１は、調理機器１０に向かって開口する箱状に形成され、その上面の中央に排気ダクト２２の端部が接続されている。そして、この排気フード２１は、調理機器１０の上方に吸い上げられた換気対象物を捕集し、排気ダクト２２に導入するための空気の吸込口を構成している。また、排気フード２１の開口は、例えば調理機器１０の後述する機器本体１１の上面１１ａ全体を上方より覆うように形成されているが、これに限られない。
【００３３】
本実施形態では、給気機構３０は、１つ又は複数の右方吹出口３１と、１つ又は複数の左方吹出口３２と、これらの吹出口３１，３２に接続された給気ダクト３４と、給気ファン３５とを含む。給気ダクト３４は、途中で複数に分岐して右方吹出口３１と左方吹出口３２に接続されている。右方吹出口３１から吹き出される空気の吹出度合い（風量、風速など）と、左方吹出口３２から吹き出される空気の吹出度合い（風量、風速など）は同程度に調整されるのが好ましい。
【００３４】
本実施形態では、一対の吹出口３１，３２は、天井６に設けられた開口によって構成されているが、これに限られない。一対の吹出口３１，３２は、例えば図１０（Ａ），（Ｂ）に示すように天井６よりも下方に設けられていてもよい。
【００３５】
給気ファン３５は、吹出口３１，３２から吹き出される空気の流れをつくる。給気ダクト３４は、厨房室２と室外とをつなぐ空気流路を構成している。給気ダクト３４は、天井６の上方の空間（天井裏）に設けられているが、これに限られず、例えば天井６の下面に沿って配設されていてもよい。また、給気ファン３５は省略可能である。
【００３６】
本実施形態では、空調機構４０は、１つ又は複数の空調吹出口４１と、空調吹出口４１に接続された空調用の給気ダクト４４とを含む。空調吹出口４１は、換気空間５１用の吹出口である。
【００３７】
また、空調機構４０は、図略の冷媒回路を備え、冷媒回路において冷媒が循環することにより、蒸気圧縮式の冷凍サイクルを行う。これにより、空調機構４０は、厨房室２、別室３などにおいて冷房などの空調を行うことができる。前記冷媒回路の熱交換器において冷媒と熱交換された空気（例えば冷気）は、給気ダクト４４を通じて空調吹出口４１に案内され、空調吹出口４１から厨房室２内に吹き出される。
【００３８】
また、本実施形態では、空調機構４０は、空調吸込口４２をさらに含む。空調吸込口４２は、厨房室２に設けられているが、これに限られない。空調吸込口４２は、別室３に設けられていてもよい。ただし、空調吸込口４２が厨房室２に設けられていることにより、別室３から厨房室２へ空気が流れ込みやすくなり、その結果、厨房室２における比較的温度の高い空気が別室３に流れ込むのを抑制できる。また、本実施形態では、空調機構４０は、空調吹出口４３をさらに含む。空調吹出口４３は、第２空間５２用の吹出口である。
【００３９】
本実施形態では、空調吹出口４１，４３、空調吸込口４２などが天井６や壁に設けられたビルトインタイプの空調機構４０が採用されている。したがって、本実施形態では、空調吹出口４１，４３及び空調吸込口４２のそれぞれは、天井６に設けられた開口によって構成されているが、これに限られない。空調機構４０は、例えば天井６に吊り下げる図略の室内機を備えるタイプであってもよい。
【００４０】
調理機器１０は、機器本体１１（コンロ台１１）と、発熱部１２とを含む。発熱部１２としては、例えばガス式コンロ、電気式コンロ、フライヤーなどが挙げられるが、これらに限定されず、調理に用いられ、且つ発熱を伴うものが含まれる。発熱部１２は、機器本体１１の上部に設けられている。
【００４１】
本実施形態では、機器本体１１は、略直方体状に形成されている。機器本体１１の前面パネル１３（操作部１３）側が調理者の作業位置である。発熱部１２は、機器本体１１の上面１１ａにおいて左右方向に並んで複数設けられているが、これに限られず、１つのみ設けられていてもよい。
【００４２】
図３に示すように、厨房室２と別室３は、壁４によって仕切られている。壁４には厨房室２と別室３とを連通する開口部５が設けられている。この開口部５においては、厨房室２と別室３との間を空気が移動可能である。また、この開口部５は、厨房室２と別室３との間を人が行き来できる大きさを有していてもよい。
【００４３】
（換気動作）
次に、第１実施形態における換気システム１によって形成される空気の流れについて説明する。排気ファン２３が運転されると、図１及び図２に一点鎖線の上向き矢印で示す上昇気流が形成される。すなわち、調理機器１０の発熱部１２周辺の換気対象物を含む高温の空気は、上方に吸い上げられて排気フード２１に集められ、排気ダクト２２を通じて室外に排出される。
【００４４】
また、給気ファン３５が運転されると、室外の空気が給気ダクト３４を通じて右方吹出口３１及び左方吹出口３２に送られ、これらの吹出口３１，３２のそれぞれから下方に吹き出される。調理機器１０と排気フード２１との間の空間においては、上述した上昇気流が形成されているので、吹出口３１，３２のそれぞれから下方に吹き出された空気は、この上昇気流に引き寄せられる（上昇気流に誘引される）ことにより、下方に向かいながら次第に内側に向きを変え、さらに上方に向きを変える。そして、この空気は、前記上昇気流とともに排気フード２１側に吸い上げられ、排気フード２１に集められ、排気ダクト２２を通じて室外に排出される。
【００４５】
また、空調機構４０の冷房運転が開始されると、図略の熱交換器において冷媒と熱交換した空気（冷気）は、空調用の給気ダクト４４を通じて空調吹出口４１に送られ、空調吹出口４１から下方に吹き出される。空調吹出口４１の下方は、調理機器１０の前方において調理作業をする調理者の作業空間がある。したがって、調理者は、作業空間において、空調吹出口４１から吹き出される冷気によって快適に作業を行うことができる。
【００４６】
また、調理機器１０と排気フード２１との間の空間においては、上述した上昇気流が形成されているので、空調吹出口４１から下方に吹き出された空気は、前記上昇気流に引き寄せられる（上昇気流に誘引される）ことにより、下方に向かいながら次第に内側に向きを変え、さらに上方に向きを変える。そして、この空気は、前記上昇気流とともに排気フード２１側に吸い上げられ、排気フード２１に集められ、排気ダクト２２を通じて室外に排出される。
【００４７】
第１実施形態では、上記のように排気フード２１の前方において下方に吹き出される空調空気と、排気フード２１の両側方において下方に吹き出される空気によって調理機器１０の前方と側方とを覆うような空気の流れ（エアカーテン）が形成される。これにより、調理機器１０の発熱部１２において生じる熱がエアカーテンの外側に拡散しにくくなる。
【００４８】
また、厨房室２には、空調機構４０の空調吸込口４２が設けられているので、図３に示すように、別室３から厨房室２へ空気の流れＦを形成することができる。その結果、調理機器１０が設けられた厨房室２における比較的温度の高い空気が別室３に流れ込むのを抑制できる。
【００４９】
［第２実施形態］
図４は、本発明の第２実施形態に係る換気システム１を示す斜視図である。図５（Ａ）は、第２実施形態に係る換気システム１の概略を示す正面図であり、図５（Ｂ）は、その側面図である。図４及び図５（Ａ），（Ｂ）に示すように、第２実施形態の換気システム１は、給気機構３０が後方吹出口３３をさらに含んでいる点で第１実施形態と異なっており、それ以外の構成は、第１実施形態と同様であるので、以下では主に相違点について説明する。
【００５０】
第２実施形態では、後方吹出口３３は、側面視（平面視）で調理機器１０よりも後方に位置し、且つ、正面視（平面視）で右方吹出口３１と左方吹出口３２の間に位置する。後方吹出口３３は、吹出部本体３６に設けられている。この吹出部本体３６には、給気ダクト３４が接続されている。本実施形態では、吹出部本体３６は、内部に空間を有する箱状体であり、給気ダクト３４の端部が吹出部本体３６の側部に接続され、後方吹出口３３が吹出部本体３６の上部に設けられているが、これに限られない。吹出部本体３６は、省略可能であり、この場合、後方吹出口３３は、給気ダクト３４の端部に設けられる。
【００５１】
本実施形態では、後方吹出口３３は、調理機器１０の機器本体１１の背面に沿って（壁２Ｂに沿って）略水平方向に延びる形状を有するが、これに限られない。後方吹出口３３は、複数に分割された吹出口によって構成されていてもよい。
【００５２】
第２実施形態では、給気ファン３５が運転されると、室外の空気が給気ダクト３４を通じて右方吹出口３１及び左方吹出口３２に送られるとともに、後方吹出口３３にも送られる。後方吹出口３３に送られた空気は、後方吹出口３３から上方に吹き出され、上昇気流を形成する。したがって、調理機器１０から排気フード２１に向かう上昇気流の範囲は、第１実施形態に比べて大きくなる。これにより、一対の側方吹出口３１，３２のそれぞれから下方に吹き出された空気、及び空調吹出口４１から下方に吹き出された空気を、内側に引き寄せる効果を高めることができる。
【００５３】
また、本実施形態では、後方吹出口３３が設けられているので、右方吹出口３１及び左方吹出口３２から吹き出される空気の風量を調整することができる許容範囲を広げることができる。これらの吹出口から吹き出される空気の風量は、特に限定されるものではないが、具体例を挙げると次のようになる。
【００５４】
例えば、後方吹出口３３から吹き出される風量を、右方吹出口３１及び左方吹出口３２から吹き出される空気の合計風量よりも大きくすることができる。また、後方吹出口３３から吹き出される風量を、右方吹出口３１及び左方吹出口３２のそれぞれから吹き出される空気の風量よりも大きくしてもよい。ただし、これらはあくまでも一例であって、これらの設定に限られない。
【００５５】
［第３実施形態］
図６は、本発明の第３実施形態に係る換気システム１を示す斜視図である。図７（Ａ）は、第３実施形態に係る換気システム１の概略を示す正面図であり、図７（Ｂ）は、その側面図である。図６及び図７（Ａ），（Ｂ）に示すように、第３実施形態の換気システム１は、給気機構３０が後方吹出口３３を含んでいる点で第１実施形態と異なっており、それ以外の構成は、第１実施形態と同様である。また、第３実施形態の換気システム１は、後方吹出口３３が排気フード２１の後方に位置し、空気を下方に吹き出す構成を備える点で、第２実施形態と異なっている。以下では主に第１実施形態及び第２実施形態との相違点について説明する。
【００５６】
第３実施形態では、後方吹出口３３は、排気フード２１よりも後方に位置し、且つ、正面視（平面視）で右方吹出口３１と左方吹出口３２の間に位置する。第３実施形態では、後方吹出口３３は、天井６に設けられた開口によって構成されている。
【００５７】
後方吹出口３３は、吹出部本体３７に設けられている。この吹出部本体３７には、給気ダクト３４が接続されている。本実施形態では、吹出部本体３７は、内部に空間を有する箱状体であり、給気ダクト３４の端部が吹出部本体３７の上部に接続され、後方吹出口３３が吹出部本体３７の下部に設けられているが、これに限られない。吹出部本体３７は、省略可能であり、この場合、後方吹出口３３は、給気ダクト３４の端部に設けられる。
【００５８】
第３実施形態では、給気ファン３５が運転されると、室外の空気が給気ダクト３４を通じて右方吹出口３１及び左方吹出口３２に送られるとともに、後方吹出口３３にも送られる。後方吹出口３３に送られた空気は、後方吹出口３３から下方に吹き出される。下方に吹き出された空気は、前記上昇気流に引き寄せられる（上昇気流に誘引される）ことにより、下方に向かいながら次第に内側に向きを変え、さらに上方に向きを変える。そして、この空気は、前記上昇気流とともに排気フード２１側に吸い上げられ、排気フード２１に集められ、排気ダクト２２を通じて室外に排出される。
【００５９】
［第４実施形態］
図８は、本発明の第４実施形態に係る換気システム１を示す斜視図である。図９（Ａ）は、第４実施形態に係る換気システム１の概略を示す正面図であり、図９（Ｂ）は、その側面図である。図８及び図９（Ａ），（Ｂ）に示すように、第４実施形態の換気システム１は、給気機構３０が後方吹出口３３を含んでいる点で第１実施形態と異なっており、それ以外の構成は、第１実施形態と同様である。また、第３実施形態の換気システム１は、後方吹出口３３が高さ方向において排気フード２１と調理機器１０との間に設けられている点で、第２実施形態及び第３実施形態と異なっている。以下では主に第１実施形態、第２実施形態及び第３実施形態との相違点について説明する。
【００６０】
第４実施形態では、図８及び図９（Ａ），（Ｂ）に示すように、後方吹出口３３は、排気フード２１と調理機器１０との間の領域に設けられている。後方吹出口３３は、例えば壁２Ｂに設けられた開口部によって構成されるが、これに限られない。後方吹出口３３から吹き出される空気の方向は、例えば調理機器１０側の方向（斜め下方に傾斜した前方）、排気フード２１側の方向（斜め上方に傾斜した前方）、これらの間の方向（例えば水平方向にほぼ平行な前方）などが挙げられる。
【００６１】
後方吹出口３３は、吹出部本体３８に設けられている。この吹出部本体３８には、給気ダクト３４が接続されている。本実施形態では、吹出部本体３８は、内部に空間を有する箱状体であり、給気ダクト３４の端部が吹出部本体３８の後部（後面）に接続され、後方吹出口３３が吹出部本体３８の前部（前面）に設けられているが、これに限られない。吹出部本体３６は、省略可能であり、この場合、後方吹出口３３は、給気ダクト３４の端部に設けられる。
【００６２】
第４実施形態では、給気ファン３５が運転されると、室外の空気が給気ダクト３４を通じて右方吹出口３１及び左方吹出口３２に送られるとともに、後方吹出口３３にも送られる。後方吹出口３３に送られた空気は、後方吹出口３３から前方又は前方に対して傾斜した方向に吹き出される。吹き出された空気は、前記上昇気流に引き寄せられる（上昇気流に誘引される）ことにより、下方に向かいながら次第に内側に向きを変え、さらに上方に向きを変える。そして、この空気は、前記上昇気流とともに排気フード２１側に吸い上げられ、排気フード２１に集められ、排気ダクト２２を通じて室外に排出される。
【００６３】
［実施形態のまとめ］
以上説明したように、各実施形態では、排気フード２１の前方において下方に吹き出される空調空気と、排気フード２１の両側方において下方に吹き出される空気とによって調理機器１０の前方と側方とを覆うような空気の流れ（エアカーテン）が形成されるので、調理機器１０の発熱部において生じる熱がエアカーテンの外側に拡散しにくくなる。これにより、厨房室２における空気調和装置の空調負荷が増加するのを抑制できるので、省エネルギー化を図ることができる。
【００６４】
しかも、各実施形態では、排気フード２１の前方に設けられた空調吹出口４１から空調空気（冷気）を下方に吹き出すことができるので、調理機器１０の前方で作業する調理者の快適性を向上させることができる。また、一対の側方吹出口３１，３２は、排気フード２１の両側方に設けられているので、給気ダクト３４の配設が煩雑になるのを抑制できる。
【００６５】
第２〜第４実施形態では、平面視で調理機器１０よりも後方に位置する後方吹出口３３をさらに備えているので、一対の側方吹出口３１，３２から吹き出される空気の風量を調整することができる許容範囲を広げることができる。
【００６６】
また、各実施形態では、一対の側方吹出口３１，３２が排気フード２１の両側方に設けられているので、例えば特許文献１のように調理機器の上部に設ける場合に比べて、調理機器１０の機器本体１１の上面１１ａを有効利用できる。具体的に、機器本体１１の上面１１ａにおける両サイドの領域は、作業台、物置などの用途に利用できる。
【００６７】
また、第３実施形態では、後方吹出口３３は、排気フード２１の後方に位置し、空気を下方に吹き出す形態である。この構成では、後方吹出口３３が排気フード２１の後方に設けられているので、後方吹出口３３に接続する給気ダクトを天井６から調理機器１０まで下方に延ばす必要がない。これにより、ダクトの配設が煩雑になるのを抑制できる。また、この構成では、後方吹出口３３、一対の側方吹出口３１，３２及び空調吹出口４１が排気フード２１の周りを囲むように設けられ、しかも、これらの吹出口のそれぞれから空気が下方に吹き出されるので、調理機器１０の前方、側方及び後方を覆うような比較的安定した空気の流れ（エアカーテン）が形成される。これにより、調理機器１０の発熱部において生じる熱がエアカーテンの外側に拡散しにくくなる。
【００６８】
また、第３実施形態では、後方吹出口３３が、排気フード２１よりも後方に位置している（図例では、後方吹出口３３は天井６に設けられている）ので、第２実施形態に比べて、調理機器１０の周辺のスペースを有効利用できる。
【００６９】
各実施形態では、調理機器１０が設けられた厨房室２の隣に、厨房室２と連通している別室３が存在し、厨房室２には、空調機構４０の空調吸込口４２が設けられているので、別室３から厨房室２へ空気の流れを形成することができる。その結果、調理機器１０が設けられた厨房室２における比較的温度の高い空気が別室３に流れ込むのを抑制できる。これにより、別室３の快適性が損なわれるのを抑制できる。
【００７０】
また、各実施形態では、排気フードとして二重フードが採用されている場合とは異なり、側方吹出口３１，３２が排気フード２１と別体であり、側方吹出口３１，３２から吹き出される空気は、排気フード２１の熱の影響を受けにくい。したがって、各実施形態では、一対の側方吹出口３１，３２から吹き出される空気は、二重フードの場合のように温度が高くなりにくい。よって、各実施形態では、例えば調理機器１０の機器本体１１の上面１１ａに置いた食材（例えば新鮮な野菜）の鮮度を維持できる。
【００７１】
また、各実施形態では、二重フードに設けられる吹出口に比べて、吹出口の開口面積の設計の自由度が高い。具体的に、二重フードでは、排気口の周囲に吹出口が設けられるため、吹出口は、細長い開口面積の小さいものとなり、吹出口から吹き出される空気の風速が大きくなりやすい。これに対し、各実施形態では、吹出口の開口面積の設計の自由度が二重フードの場合に比べて大きいので、風量を維持しつつ、風速が大きくなるのを抑制できる。このように一対の側方吹出口３１，３２から吹き出される空気の風速が抑えられることにより、前方（調理者側）に流れる空気の量も抑えることができる。すなわち、各実施形態では、ある程度の風量を確保しつつ、排気フード２１の両側方から下方に空気を吹き出すことができる。
【００７２】
［その他の変形例］
以上、本発明の実施形態について説明したが、本発明はこれらの実施形態に限定されるものではなく、その趣旨を逸脱しない範囲で種々変更、改良等が可能である。
【００７３】
例えば、前記実施形態では、一対の側方吹出口３１，３２が天井６に設けられている場合を例示したが、これに限られない。例えば図１０（Ａ），（Ｂ）に示すような形態であってもよい。図１０（Ａ），（Ｂ）に示す変形例では、右方吹出口３１及び左方吹出口３２は、天井６よりも下方に設けられている。具体的に、右方吹出口３１及び左方吹出口３２は、排気フード２１の近傍であって、排気フード２１の下端の開口部よりもやや下方に設けられている。この変形例では、後方吹出口３３は、吹出部本体３９に設けられている。この吹出部本体３９には、給気ダクト３４が接続されている。吹出部本体３９は、内部に空間を有する箱状体であり、給気ダクト３４の端部が吹出部本体３９の上部に接続され、後方吹出口３３が吹出部本体３９の下部に設けられているが、これに限られない。吹出部本体３９は、省略可能であり、この場合、後方吹出口３３は、給気ダクト３４の端部に設けられる。
【００７４】
また、各実施形態では、空調機構４０として、外気処理ユニットを用いることもできる。外気処理ユニットは、ユニット内に取り入れた外気と冷媒との間で熱交換させ、その熱交換後の空気を厨房室２に供給する。外気処理ユニットを用いる場合には、空調吸込口４２は省略できる。
【符号の説明】
【００７５】
１  換気システム  
２  厨房室
３  別室
４  厨房室と別室を仕切る壁
５  厨房室と別室とを連通する開口部
６  天井
１０  調理機器
１１  機器本体
１１ａ  機器本体の上面
１２  発熱部
１３  操作部
２０  排気機構
２１  排気フード
２２  排気ダクト
２３  排気ファン
３０  給気機構
３１  右方吹出口
３２  左方吹出口
３３  後方吹出口
３４  給気ダクト
３５  給気ファン
４０  空調機構
４１  空調吹出口（換気空間用の空調吹出口）
４２  空調吸込口
４３  空調吹出口（空調空間用の空調吹出口）
４４  空調用の給気ダクト
４５  空調用の吸込ダクト
５１  第１空間（換気空間）
５２  第２空間
【図１】
2014129969.tif 000003
【図２】
2014129969.tif 000004
【図３】
2014129969.tif 000005
【図４】
2014129969.tif 000006
【図５】
2014129969.tif 000007
【図６】
2014129969.tif 000008
【図７】
2014129969.tif 000009
【図８】
2014129969.tif 000010
【図９】
2014129969.tif 000011
【図１０】
2014129969.tif 000012